(57)【要約】【課題】従来、温水床暖房用マットは嵌装小根太と放熱管との交差部を空白部としたため、発泡スチロール等によって構成される配管マットを敷設する際に釘打ち等による固定の障害となり、固定部に隣接する小根太空白部分が変形したり、破損したりする問題があった。【解決手段】小根太５と断熱ボード材２を交互に並列してその上面に温熱伝導部材によるシートを全面に渡って張設して一体結合すると共に、小根太５に交差部分の放熱管１３を収容する嵌入溝５１を設定して放熱管交差部分を収容するようにした。【選択図】図４
2010071584.tif 000002
【特許請求の範囲】
【請求項１】
ベースマットの表面に、敷設経路パターンに沿って放熱回流する放熱管敷設溝を刻設し、溝内に放熱管を嵌入敷設してその上面に温熱伝導部材によるシートを全面に渡って張設し、所要部に小根太を嵌装するようにした床暖房用配管マットにおいて、嵌装する小根太の放熱管との交差部に交差部分の放熱管を収容する嵌入溝を設定して放熱管交差部分を収容するようにしたことを特徴とする床暖房用配管マット
【請求項２】
小根太と断熱ボード材を交互に並列して、その表面に床構造配管部を放熱回流する敷設経路パターンに沿って放熱管敷設溝を刻設すると共に、敷設溝に放熱管を嵌装配管し、その上面に温熱伝導部材シートを全面に渡って張設することによって全体を一体固定するようにしたことを特徴とする請求項１記載の床暖房用配管マット
【請求項３】
断熱ボード材の放熱管直線並行部と横行ループ部並びに小根太の直行部と放熱管嵌入溝を設定する部分を、それぞれ部分ユニットに分断して形成し、その部分ユニットを組み合わせ結合してベースマットを構成するようにしたことを特徴とする請求項１又は請求項２記載の床暖房用配管マット
【請求項４】
小根太を含むベースマットの裏面所要部に防音緩衝材を貼り付けるようにしたことを特徴とする請求項１又は請求項２又は請求項３記載の床暖房用配管マット
【発明の詳細な説明】
【技術分野】
【０００１】
本発明は、新築集合住宅や戸建て住宅などに組み込み設計される温水床暖房に用いられる床暖房用配管マットに関するものである。
【背景技術】
【０００２】
従来、住居用温水床暖房の床暖房用配管マットは、放熱管敷設溝を刻設した発泡スチロール（発泡ポリスチレン重合体）のベースマットに耐熱樹脂を素材とした放熱管を一筆書き状にループさせて嵌装配管し、その上面に温熱伝導部材（アルミフィルム等）を全面に渡って張設した配管マットを対象室内に敷設し、配管マットに嵌装された小根太を介して釘打ちやねじ止め、接着剤などにより床面に固定することが行われてきている。
【０００３】
放熱管は、一筆書き状にループさせてベースマット上に刻設される放熱管敷設溝に嵌装配管されるが、直線状に並行して配列される部分と横行ループする部分とがあり、横行ループ部においてベースマットの側辺に平行して嵌装されている小根太と交差することになる。
【０００４】
そこで、例えば特許文献1に記載されるように、嵌装配管の横断部を含むベースマットに設けた小根太の先端部において小根太嵌装空白部を設け、嵌装配管を横断させたうえで小根太延長上に小小根太を嵌装して、ベースマットを補強し、床面に固定する小根太を断続的に設定するようにしてきている。
【特許文献１】特許第３４４７１６６号公報
【発明の開示】
【発明が解決しようとする課題】
【０００５】
しかしながら、放熱管敷設経路のパターンは、熱源接続口Ａを起点として回流し同じ熱源接続口Ａに帰着するので、当然、ベースマットを横行ループしなければならない。そのため、ベースマットの側辺に沿って嵌装されている小根太と交差するのを避けることができない。従って、マットを補強し、床面に固定するベースラインとなる嵌装小根太と小小根太の間に空白部ができて補強ラインが途中で途切れ、その部分に不自然な力が掛かってくる問題がある。
【０００６】
更に、嵌装小根太の空白部ができる配管横行ループ部はマットの側端に近い部分となるため、発泡スチロール等によって構成される配管マットを広げて対象室内に敷設する際の釘打ち等による固定部に近い部分となり安定した固定の障害となり、著しい場合には、固定部に隣接する小根太空白部分が変形したり、破損したりする問題に連ながりかねない。
【０００７】
また、配管マットは床面に直に敷設されるため、固定が安定していないと、床を歩行する度に素材の発泡スチロールが軋み音をたてたり、乱暴な歩行や動きにマットが揺動したりする問題がある。
【０００８】
更に、配管マットに小根太を嵌装するためには、配管マットのベースとなる発泡スチロールに嵌装のための加工を行ったりしなければならないうえ、発泡スチロールの面積が大きく嵩張るため作業面でも運搬面でも極めて取り扱い難いという問題があった。      
【課題を解決するための手段】
【０００９】
本発明は上記した課題に対応しようとするものであり、嵌装する小根太の放熱管との交差部に交差部分の放熱管を収容する嵌入溝を設定して放熱管交差部分を収容するようにして、ベースマットの端縁から端縁まで全長にわたって一貫した空白のない一体の小根太を嵌装して、床暖房用配管マットの床面への固定を安定させるようにした。
【００１０】
また、配管マットに小根太を嵌装するための加工を行うことなく、小根太と断熱ボード材を交互に並列して、その表面に床構造配管部を放熱回流する敷設経路パターンに沿って放熱管敷設溝を刻設すると共に、敷設溝に放熱管を嵌装配管し、その上面に温熱伝導部材シートを全面に渡って張設することによって全体を一体固定するようにした。
【００１１】
また、小根太が長尺となるので継ぎ足しが行われることが多く、継ぎ足し部分に軋み音が発生するので、床暖房用配管マットの裏面所要部に防音緩衝材を貼り付けるようにして、放熱管敷設マットを構成する発泡スチロール等と床面との接合を調和させるようにして、軋み音の発生を防止するようにした。      
【実施例】
【００１２】
以下、本発明の実施例を、図面を参照して説明する。
１はベースマットで、小根太５と発泡スチロール等による断熱ボード材２を交互に並設して構成され、表面には床構造配管部を放熱回流する敷設経路パターンに沿って放熱管敷設溝１１が刻設され、その敷設溝１１に耐熱樹脂を素材とした放熱管１３を嵌装配管し、その上面に温熱伝導部材シート３を全面に渡って張設されるようになっている。
【００１３】
敷設溝１１は、開口部１２からの所定深度位置までを逆テーパー構造として溝内壁の幅径により、敷設配管の最大管径管腹面部を挟圧固定する嵌入挟圧構造に形成されている。従って、深度位置より上部の溝径は放熱管１３の直径より狭くなっているので、放熱管１３が一旦押圧嵌入されると下部からの押上げ力が働かなければ敷設溝１１から外れることがない。
【００１４】
放熱管１３の敷設経路パターンは、ベースマット１の表面に熱源接続口Ａから床構造配管部を放熱回流して再び熱源接続口Ａに回流する形態で設定されており、放熱管敷設溝１１は直線状に並行して配列される部分と横行ループする部分とが大別される。これに対応して断熱ボード材２は放熱管敷設溝が並行する直線並行部２ａと横行する横行ループ部２ｂに分断して形成される。
【００１５】
小根太５は木材等を素材とし、ベースマット１を横断して断熱ボード材２と交互に並列されるが、断熱ボード材の横行ループ部２ｂと隣接する部分において断熱ボード材２に刻設された放熱管敷設溝１１の端部が小根太５の側部に突合することになり、放熱管１３と小根太５が交差する。
【００１６】
小根太５のこの交差部には、交差部分の放熱管１３を収容する嵌入溝５１が設定され、曲部を含む放熱管交差部分が収容される。従って、放熱管１３は小根太５に刻設された堅牢な嵌入溝５１に支持されて敷設経路パターンに沿った素直な配管敷設をすることができるものである。
【００１７】
嵌入溝５１を設定する小根太５の部分は、必要に応じて部分ユニットとして構成し、ベースマット１の構成時に組み合わせ結合することによってベースマットの形成作業も能率的に行うことができる。
【００１８】
また、小根太５は長尺となるので適宜継ぎ足しとなるが、継ぎ足し部に接着剤等を用いることなく長尺部５ａ同士或いは長尺部5ａと溝設定部５ｂとを並列し、温熱伝導部材シート３を上面に張り付けることによって配管マットとして一体に結合されることになる。
【００１９】
このよう構成された配管マット特に長尺小根太の裏面には、防音緩衝材として不織布４が貼り付けられる。防音緩衝材の貼り付けはベースマットの裏面全面にわたっても良いが、小根太５の裏面など特定の箇所に限定して行っても充分な効果を得ることができるものである。
【００２０】
本発明は以上のように構成したので、小根太に小小根太を断続させてベースマットの堅牢性を確保するといった不自然な構造によることなく、放熱配管も素直なパターンにより放熱管に対する無理な屈曲や屈折を避けることができると共に、ベースマットを貫く強力なバックボーンとして小根太を活用することができたものである。
【図面の簡単な説明】
【００２１】
【図１】本発明の実施例を示すもので、ベースマットの表面に形成された敷設経路パターンに沿って配管された放熱管と設定された小根太の交差状况を示した床暖房用配管マット表面の全体平面図
【図２】同じく、ベースマットに刻設された放熱配管敷設溝と小根太及び温熱伝導部材シートの関係を示すベースマット所要部の横断面部分側面図
【図３】同じく、小根太に刻設された放熱管嵌入溝の状況を示す小根太所要部の縦断面部分側面図
【図４】同じく、断熱ボード材及び小根太を部分ユニットに構成して組み合わせた状況を示す床暖房用配管マット表面の全体平面図
【符号の説明】
【００２２】
１      ベースマット
１１    放熱管敷設溝
１２    放熱管敷設溝の開口部
１３    放熱管
２      断熱ボード材
２ａ    断熱ボード材の直線並行部
２ｂ    断熱ボード材の横行ループ部
３      温熱伝導部材シート
４      不織布
５      小根太
５１    小根太の放熱管敷設溝
５ａ    小根太の直行部ユニット
５ｂ    小根太の放熱管交差溝設定ユニット
Ａ      ベースマット上の熱源接続口
【図１】
2010071584.tif 000003
【図２】
2010071584.tif 000004
【図３】
2010071584.tif 000005
【図４】
2010071584.tif 000006